(57)【要約】【課題】本発明の課題は、費用やモータ周りの設計に制限がある場合であっても、比較的容易にモータ熱の排出効率を向上させることができる回転式破砕混合調理器を提供することである。【解決手段】本発明に係る回転式破砕混合調理器１００は、「筐体１１１と、筐体に収容される電動機１１５と、電動機から上方に向かって延びる回転軸１１６Ａ，１５１ｅとを有する本体１１０」と、「底壁部１５１ｂ，１５１ｉと、底壁部の上側に配設されると共に回転軸に連結される回転刃１５１ｄとを有し、本体に載置される容器１５０」と、を備え、筐体の天壁部１１１ｂには、電動機の周辺空間と連通する開口Ｏｕ１が形成されており、本体における容器の載置部位１１１ｍおよび容器の被載置部位１５１ａの少なくとも一方に、本体の載置部位と容器の被載置部位との間に隙間を形成する隙間形成部位Ｐｒを設け、隙間は、開口に連通している。【選択図】図５
2020116047.tif 000002
【特許請求の範囲】
【請求項１】
筐体と、前記筐体に収容される電動機と、前記電動機から上方に向かって延びる回転軸とを有する本体と、
底壁部と、前記底壁部の上側に配設されると共に前記回転軸に連結される回転刃とを有し、前記本体に載置される容器と、を備え、
前記筐体の天壁部には、前記電動機の周辺空間と連通する開口が形成されており、
前記本体における前記容器の載置部位および前記容器の被載置部位の少なくとも一方に、前記本体の載置部位と前記容器の被載置部位との間に隙間を形成する隙間形成部位を設け、
前記隙間は、前記開口に連通している回転式破砕混合調理器。
【請求項２】
前記容器の側壁部には、内側に向かって窪む凹部が形成されており、
前記凹部は、前記開口に連通している請求項１に記載の回転式破砕混合調理器。
【請求項３】
前記凹部は、斜め上方に向かって延びるように形成されている請求項２に記載の回転式破砕混合調理器。
【請求項４】
前記筐体には、前記電動機を部分的に覆う第１電動機収容体と、前記第１電動機収容体を部分的に覆う第２電動機収容体と、切り欠き部を有し前記第１電動機収容体の側壁部の外周面と前記第２電動機収容体の側壁部の内周面とに部分的に密着する環状の密着部材とが収容されており、
前記第１電動機収容体の内部空間から、前記第１電動機収容体と前記第２電動機収容体との間に形成される狭隙空間を介して前記隙間に連通する連通路が形成されている請求項１から３のいずれか１項に記載の回転式破砕混合調理器。
【請求項５】
前記狭隙空間は下側が開口している請求項４に記載の回転式破砕混合調理器。
【請求項６】
前記筐体は、給気口と、前記給気口の外側に配設される排気口とが形成される給排気口付き底壁部と、「前記給気口から前記第１電動機収容体の内部空間への空気流れ」と「前記狭隙空間から前記排気口への空気流れ」とを分離する給排気分離構造とを有する請求項５に記載の回転式破砕混合調理器。
【発明の詳細な説明】
【技術分野】
【０００１】
本発明は、ミキサーやフードプロセッサ等の回転式破砕混合調理器に関する。
【背景技術】
【０００２】
過去に「本体に内蔵されたモータと、本体の底面に設けられた弾性体からなる足と、本体の底面に設けられた吸気口と排気口とを有し、前記排気口とモータの間に冷却ガイドを固定した電動調理器。（例えば、特開平１０−１７９４２５号公報参照。）」が提案されている。
【先行技術文献】
【特許文献】
【０００３】
【特許文献１】特開平１０−１７９４２５号公報
【発明の概要】
【発明が解決しようとする課題】
【０００４】
ところで、モータからは熱が生じ、その熱によってモータ周辺の空気が温められる。そして、その温められた空気は上昇しようとする。このため、上述のような電動調理器においてモータ熱の排出効率を向上させようとすると、比較的能力の送風能力が高いファンを採用したり、排気通路を比較的単純なものにしたりする必要がある。しかし、上述のような電動調理器において、費用や、モータ周りの設計に制限がある場合、モータ熱の排出効率を向上させるのは比較的困難であると思われる。
【０００５】
本発明の課題は、費用や、モータ周りの設計に制限がある場合であっても、比較的容易にモータ熱の排出効率を向上させることができる電動調理器（回転式破砕混合調理器）を提供することである。
【課題を解決するための手段】
【０００６】
本発明に係る回転式破砕混合調理器は、
筐体と、前記筐体に収容される電動機と、前記電動機から上方に向かって延びる回転軸とを有する本体と、
底壁部と、前記底壁部の上側に配設されると共に前記回転軸に連結される回転刃とを有し、前記本体に載置される容器と、を備え、
前記筐体の天壁部には、前記電動機の周辺空間と連通する開口が形成されており、
前記本体における前記容器の載置部位および前記容器の被載置部位の少なくとも一方に、前記本体の載置部位と前記容器の被載置部位との間に隙間を形成する隙間形成部位を設け、
前記隙間は、前記開口に連通している。
【０００７】
上記構成によれば、開口を介して電動機の周辺空間が隙間に連通している。このため、電動機から生じた熱で温められた空気が移動しやすい上方からその空気を排出することができる。したがって、本発明では、費用や、電動機（モータ）周りの設計に制限がある場合であっても、比較的容易に電動機から生じる熱の排出効率を向上させることができる。
【０００８】
本発明では、
前記容器の側壁部に、内側に向かって窪む凹部が形成されており、
前記凹部が、前記開口に連通していると好適である。
【０００９】
上記構成によれば、開口を介して電動機の周辺空間が凹部にも連通している。このため、本発明では、電動機から生じる熱の排出効率をさらに向上させることができる。
【００１０】
本発明では、
前記凹部が、斜め上方に向かって延びるように形成されていると好適である。
【００１１】
上記構成によれば、電動機から生じる熱の排出効率をさらに向上させることができる。また、上記構成によれば、凹部が、容器の内側に向かう凸部となり、調理対象物の攪拌を補助するリブとして機能する。このため、本発明では、調理対象物の撹拌効率を向上させることができる。
【００１２】
本発明では、
前記筐体に、前記電動機を部分的に覆う第１電動機収容体と、前記第１電動機収容体を部分的に覆う第２電動機収容体と、切り欠き部を有し前記第１電動機収容体の側壁部の外周面と前記第２電動機収容体の側壁部の内周面とに部分的に密着する環状の密着部材とが収容されており、
前記第１電動機収容体の内部空間から、前記第１電動機収容体と前記第２電動機収容体との間に形成される狭隙空間を介して前記隙間に連通する連通路が形成されていると好適である。
【００１３】
上記構成によれば、電動機から生じる熱で温められた空気が狭隙空間に移動した場合であっても、その空気は、密着部材の切り欠き部および連通路を通って隙間から排出される。このため、本発明のように筐体内に第１電動機収容体および第２電動機収容体を配設した場合であっても効率よく電動機から生じる熱を外部へ排出することができる。
【００１４】
本発明では、
前記狭隙空間の下側が開口していると好適である。
【００１５】
上記構成によれば、電動機から生じる熱で温められた空気が狭隙空間に移動した場合、その空気を下側からも排出することができる。このため、本発明のように筐体内に第１電動機収容体および第２電動機収容体を配設した場合であってもさらに効率よく電動機から生じる熱を外部へ排出することができる。
【００１６】
本発明では、
前記筐体は、給気口と、前記給気口の外側に配設される排気口とが形成される給排気口付き底壁部と、「前記給気口から前記第１電動機収容体の内部空間への空気流れ」と「前記狭隙空間から前記排気口への空気流れ」とを分離する給排気分離構造とを有すると好適である。
【００１７】
上記構成によれば、筐体内において電動機への給気が排気と混ざることを防ぐことができる。このため、本発明では、効率よく電動機を冷却することができる。
【図面の簡単な説明】
【００１８】
【図１】本発明の実施の形態に係るミキサーの正面面図である。
【図２】本発明の実施の形態に係るミキサーの平面図である。
【図３】図２のＡ−Ａ断面図である。
【図４】図２のＢ−Ｂ断面図である。
【図５】本発明の実施の形態に係るミキサーを構成する本体の上方斜視図である。
【図６】図３の駆動側カップリング付近の拡大図である。
【図７】本発明の実施の形態に係るミキサーを構成する本体から駆動側カップリングを取り外した状態の平面図である。
【図８】図３の底側部材付近の拡大図である。
【図９】図４の底壁部材付近の拡大図である。
【図１０】本発明の実施の形態に係るミキサーの底面図である。
【図１１】本発明の実施の形態に係るミキサーを構成する本体から駆動側カップリング、本体部材、装飾部材および透明カバーを取り外した状態の平面図である。
【図１２】本発明の実施の形態に係るミキサーを構成する本体から駆動側カップリング、本体部材、装飾部材および透明カバーを取り外した状態の斜視図である。
【図１３】本発明の実施の形態に係るミキサーを構成する本体から調芯プランジャーを取り外した状態の上方斜視図である。
【図１４】本発明の実施の形態に係るミキサーを構成する調芯プランジャー付近の簡易断面図である。
【図１５】本発明の実施の形態に係るミキサーを構成するカップの下方斜視図である。
【図１６】図６のカッター付き底壁部材付近の拡大図である。
【発明を実施するための形態】
【００１９】
本発明の実施の形態に係るミキサー１００は、図１および図２に示されるように、主に、本体１１０、カップ１５０および蓋体１６０から構成される。なお、本体１１０、カップ１５０および蓋体１６０はそれぞれ独立した組立部品であり、ミキサー１００は、これらの組立部品が組み立てられることにより完成される。
【００２０】
以下、これらの組立部品についてそれぞれ詳述した後に、ミキサー１００の組立方法およびミキサー１００の動作について説明する。なお、以下の説明において、操作ノブ（後述）１２０が配設されている側の面を正面と規定することに留意されたい。
【００２１】
＜ミキサーの組立部品＞
（１）本体
本体１１０は、図３および図４に示されるように、主に、筐体１１１、電動機カバー１１２、内ケース１１３、第１環状シール部材１１４、電動機１１５、上側駆動シャフト１１６Ａ、下側駆動シャフト１１６Ｂ、駆動側カップリング１１７、冷却ファン１１８、調芯プランジャー１１９、操作ノブ１２０、回路基板（図示せず）、回路保護装置１２１、本体側安全機構１２２および電気プラグコード１２３から構成されている。以下、これらの構成要素について詳述する。
【００２２】
（１−１）筐体
筐体１１１は、図１〜図６に示されるように、主に、本体部材１１１Ａ、底壁部材１１１Ｂ、脚１１１Ｃ、装飾部材１１１Ｄ、透明カバー１１１Ｅおよび給気通路形成板１１１Ｆから構成されている。以下、これらの部材について詳述する。
【００２３】
本体部材１１１Ａは、図３〜図６に示されるように、主に、第１側壁部１１１ａ、第１天壁部１１１ｂ、円筒台座部１１１ｃおよび本体側安全機構収容部１１１ｌから構成されている。第１側壁部１１１ａは、樹脂成形体であって、図１、図２および図５に示されるように略切頭四角錐筒形状を呈している。第１天壁部１１１ｂは、図３〜図６に示されるように円環状の壁部位であって、第１側壁部１１１ａの上側の中央部分を覆っている。なお、図６、図７および図１３に示されるように、この第１天壁部１１１ｂの中央には開口（以下、この開口を「第１天壁開口」という。）Ｏｕ１が形成されている。なお、この第１天壁開口Ｏｕ１は、図７に示されるように、円の右斜め前方の部位、右斜め後方の部位および左方の部位それぞれを半径方向外方に向かって引き伸ばした形状を呈している。そして、この第１天壁開口Ｏｕ１の内側には、図６および図７に示されるように、内ケース１１３の第３口部１１３Ｂ、駆動側カップリング１１７の軸受け部１１７Ａ、および、上側駆動シャフト１１６Ａが存在している。なお、図６から明らかなように、第１天壁開口Ｏｕ１の中央部分には上側駆動シャフト１１６Ａが存在し、その上側駆動シャフト１１６Ａの直ぐ外側に駆動側カップリング１１７の軸受け部１１７Ａが存在し（上側駆動シャフト１１６Ａは、その軸受け部１１７Ａの内側に挿通されて締結されている。）、駆動側カップリング１１７の軸受け部１１７Ａの外側であって駆動側カップリング１１７の軸受け部１１７Ａから離れた位置に内ケース１１３の第３口部１１３Ｂが存在している。円筒台座部１１１ｃは、図５および図６に示されるように円錐筒壁部Ｗａ、円環上端壁部Ｗｂおよび円筒壁部Ｗｃから形成される略円筒形状の二重壁部位であって、本体部材１１１Ａの上側の外周部位に形成されている。すなわち、この円筒台座部１１１ｃは、第１側壁部１１１ａおよび第１天壁部１１１ｂの上側に位置するように形成されている。このため、この円筒台座部１１１ｃの内側には、略円柱形の空間（以下「円筒形内部空間」という。）Ｓｃが存在している（図５参照）。また、図５〜図７および図１３に示されるように、円筒壁部Ｗｃには３つの角柱凹部Ｒｒ、３つの部分円柱凹部Ｒｃおよび６つの調芯プランジャー収容部Ｒｐが形成されている。図５および図７に示されるように、３つの角柱凹部Ｒｒおよび３つの部分円柱凹部Ｒｃは、交互かつ等間隔に配設されており、平面視において駆動側カップリング１１７の回転中心を挟んで対向している。また、部分円柱凹部Ｒｃの一つは、本体側安全機構収容部１１１ｌの近傍に形成されている。６つの調芯プランジャー収容部Ｒｐは、調芯プランジャー１１９を収容するための略直方体状部位であって、図１３に示されるように、角柱凹部Ｒｒと部分円柱凹部Ｒｃとの間に形成されている。また、図１３に示されるように、この調芯プランジャー収容部Ｒｐの下部には、円筒壁部Ｗｃの半径方向に沿って延びるレール部ＲＬが設けられている。そして、調芯プランジャー１１９は、このレール部ＲＬに沿って出没可能に配設される。本体側安全機構収容部１１１ｌは、図５および図６に示されるように第１側壁部１１１ａの右側壁Ｗｄの上側に形成される略逆三角錐状の壁部位であって、図３に示されるようにその内部に本体側安全機構１２２を収容している。
【００２４】
底壁部材１１１Ｂは、本体部材１１１Ａの下側に取り付けられる部材であって、図８〜図１０に示されるように、主に、底壁本体部１１１ｄ、給気経路形成壁部１１１ｅ、給気口形成部１１１ｆ、円筒壁部１１１ｇ、排気案内リブ１１１ｈ、給排気分割壁部１１１ｉ、第１排水部１１１ｊおよび第２排水部１１１ｋから形成されている。底壁本体部１１１ｄは、角椀状の基本部位である。給気口形成部１１１ｆは、底面視において底壁本体部１１１ｄの略中央に位置する部位である。そして、この給気口形成部１１１ｆには、文字通り、給気口Ｍｓが形成されている。給気経路形成壁部１１１ｅは、図１０に示されるように底面視においてＵ字形もしくは馬蹄形を呈する壁部位であって、底面視において開端側が左側、すなわち、本体１１０にカップ１５０が装着された状態におけるカップ１５０の注ぎ口側を向き、湾曲側が右側、すなわち、本体１１０にカップ１５０が装着された状態におけるカップ１５０の取っ手１５２の配設側を向くように形成されている。円筒壁部１１１ｇは、文字通り円筒形状を呈する壁部位であって、図８に示されるように給気口形成部１１１ｆの外周縁部から上方に向かって延びている。排気案内リブ１１１ｈは、図８および図１０に示されるように底面視において給気経路形成壁部１１１ｅの湾曲側における底壁本体部１１１ｄの外周部位に形成される複数の突起であって、その更に外周側に形成される排気口Ｍｅから排出される排気を外方に案内する役目を担っている。給排気分割壁部１１１ｉは、図１０に示されるように給気経路形成壁部１１１ｅの正面側の外側面から操作ノブ１２０の配設側に向かって延びると共に、給気経路形成壁部１１１ｅの背面側の外側面から操作ノブ１２０の配設側の反対側に向かって延びており、排気口Ｍｅから排出される排気が再び給気口Ｍｓから本体１１０の内部に取り込まれないようにその排気を遮断する役目を担っている。第１排水部１１１ｊおよび第２排水部１１１ｋは、本体１１０の内部に液状物が浸入した場合にその液状物を本体１１０の外部に排出する役目を担う部位であって、図１０に示されるように底壁本体部１１１ｄの左側中央および背面側中央に形成されている。
【００２５】
脚１１１Ｃは、図８〜図１０に示されるように底壁本体部１１１ｄの四隅から下方に向かって延びている。
【００２６】
装飾部材１１１Ｄは、切頭円錐筒形状を呈する加飾板、加飾箔、加飾フィルム等であって、図６に示されるように本体部材１１１Ａの円筒台座部１１１ｃの円錐筒壁部Ｗａと透明カバー１１１Ｅとの間に配設されている。
【００２７】
透明カバー１１１Ｅは、装飾部材１１１Ｄを視認可能に保護する部材であって、図３および図４に示されるように、装飾部材１１１Ｄを挟むようにして本体部材１１１Ａの円筒台座部１１１ｃの上側および外側を覆っている。この透明カバー１１１Ｅは、図５〜図７に示されるように、主に、円環状の上端壁部１１１ｍおよび略切頭円錐筒形の外側壁部１１１ｎから形成されている。そして、図５に示されるように、上端壁部１１１ｍの上端面には、円周方向に沿って等間隔に突起部Ｐｒが形成されている。また、図５および図７に示されるように、この上端壁部１１１ｍの内周側は、本体部材１１１Ａの角柱凹部Ｒｒおよび部分円柱凹部Ｒｃに対応する位置がそれぞれ切り欠かれている。
【００２８】
給気通路形成板１１１Ｆは、底壁部材１１１Ｂに形成される給気経路形成壁部１１１ｅの下側を覆う板材であって、給気経路形成壁部１１１ｅの下端に接合されている。その結果は、給気通路形成板１１１Ｆと給気経路形成壁部１１１ｅとは、左側から中央側に向かって延びる給気通路Ｐｓを形成している（図３、図４、図８および図９参照）。なお、この給気通路Ｐｓの空気取込口の大きさは人の指が入らない程度とされている。
【００２９】
（１−２）電動機カバー
電動機カバー１１２は、図３および図４に示されるように、有蓋無底の円筒体であって、主に、第２天壁部１１２Ａ、第２口部１１２Ｂ、第２側壁部１１２Ｃ、シール部材保持部１１２Ｄおよびフランジ部１１２Ｅから構成されている。そして、この電動機カバー１１２の内部には、電動機１１５が収容されている。第２天壁部１１２Ａは、略円盤状の壁部位である。そして、図６に示されるように、この第２天壁部１１２Ａの中央部分には、円形の開口（以下、この開口を「第２天壁開口」という。）Ｏｕ２が形成されている。第２口部１１２Ｂは、円筒形状を呈する壁部位であって、図６に示されるように第２天壁部１１２Ａの第２天壁開口Ｏｕ２の縁部から上方に向かって延びている。なお、図６に示されるように、第２天壁開口Ｏｕ２および第２口部１１２Ｂの内部空間には上側駆動シャフト１１６Ａが挿通されている。第２側壁部１１２Ｃは、略円筒形状を呈する壁部位であって、図３、図４および図６に示されるように第２天壁部１１２Ａの外縁部から下方に向かって延びている。また、この第２側壁部１１２Ｃには、図３に示されるように開口（以下、この開口を「第２側壁開口」という。）Ｏｓ２が形成されている。なお、この第２側壁開口Ｏｓ２は、電動機１１５から生じる熱を外部に排出する役割を担っている。シール部材保持部１１２Ｄは、図３に示されるように上下一対の円環部位であって、第２側壁部１１２Ｃの上側部位に形成されている。そして、このシール部材保持部１１２Ｄによって形成される円環溝に第１環状シール部材１１４が嵌め込まれる。フランジ部１１２Ｅは、円環部位であって、図３、図４、図８および図９に示されるように第２側壁部１１２Ｃの下端から水平面に沿って外方に向かって延びている。そして、図８および図９に示されるようにこのフランジ部１１２Ｅの下側には、冷却ファン１１８の取付翼部１１８Ｃを介して冷却ファン１１８が取り付けられている。
【００３０】
（１−３）内ケース
内ケース１１３は、図３、図４および図１２に示されるように、有蓋無底の円筒体であって、主に、第３天壁部１１３Ａ、第３口部１１３Ｂ、部分囲い壁部１１３Ｃ、第３側壁部１１３Ｄ、溝形成壁部１１３Ｅ、垂直リブ１１３Ｆおよび回路保護装置保持部１１３Ｇから構成されている。そして、この内ケース１１３の内部には、電動機１１５および電動機カバー１１２が収容されている。第３天壁部１１３Ａは、略円盤状の壁部位である。そして、図６に示されるように、この第３天壁部１１３Ａの中央部分には、円形の開口（以下、この開口を「第３天壁開口」という。）Ｏｕ３が形成されている。第３口部１１３Ｂは、円筒形状を呈する壁部位であって、図６に示されるように第３天壁部１１３Ａの第３天壁開口Ｏｕ３の縁部から上方に向かって延びている。なお、図６に示されるように、第３天壁開口Ｏｕ３および第３口部１１３Ｂの内部空間には、駆動側カップリング１１７の軸受け部１１７Ａ、および、上側駆動シャフト１１６Ａが存在している。なお、図６から明らかなように、第３天壁開口Ｏｕ３および第３口部１１３Ｂの中心部分には上側駆動シャフト１１６Ａが存在し、その上側駆動シャフト１１６Ａの直ぐ外側に駆動側カップリング１１７の軸受け部１１７Ａが存在する（上側駆動シャフト１１６Ａは、その軸受け部１１７Ａの内側に挿通されて締結されている。）。また、この第３口部１１３Ｂは、図６および図７に示されるように第１天壁１１１ｂの第１天壁開口Ｏｕ１の内側に位置している。部分囲い壁部１１３Ｃは、図１１に示されるように第３口部１１３ｂを部分的に囲うように形成されている。図６に示されるように、この部分囲い壁部１１３Ｃの上端面は第３口部１１３Ｂの上端面よりも低くなるように設計されている。また、この図６に示されるように、この部分囲い壁部１１３Ｃの上端面には溝が形成されており、この溝に線状シール部材ＳＬ１が嵌め込まれている。この線状シール部材ＳＬ１は、ゴムやエラストマーからなる線状の弾性部材であって、第１天壁部１１１ｂの下面に密着している。この部分囲い壁部１１３Ｃと第３口部１１３ｂとの間の空間は、第１天壁開口Ｏｕ１を通って落下してくる液状物（例えば、水洗時の水や、カップ１５０中の液状調理物が漏れ出た際の漏出物等）を受ける貯液空間としての役目を担っている。第３側壁部１１３Ｄは、略円筒形状を呈する壁部位であって、図３、図４および図６に示されるように第３天壁部１１３Ａの外縁部から下方に向かって延びている。また、この第３側壁部１１３Ｄには、図３および図１２に示されるように２つの開口（以下、これらの開口をそれぞれ「第３１側壁開口」、「第３２側壁開口」という。）Ｏｓ３１，Ｏｓ３２が形成されている。なお、第３１側壁開口Ｏｓ３１および第３２側壁開口Ｏｓ３２は、電動機１１５から生じる熱を外部に排出する役割を担っている。溝形成壁部１１３Ｅは、図１２に示されるように一対の対向する平行な平板状の壁部位であって、図１１および図１２に示されるように、部分囲い壁部１１３Ｃの端部から第３側壁部１１３Ｄの外側面に沿って下方に向かって延びるように形成されている。すなわち、部分囲い壁部１１３Ｃと第３口部１１３ｂとの間の空間に流入する液状物は、この溝形成壁部１１３Ｅの溝を通って下方へと流れることになる。垂直リブ１１３Ｆは、図１２に示されるように第３１側壁開口Ｏｓ３１と第３２側壁開口Ｏｓ３２との間に位置する第３側壁部１１３Ｄの部位から外方に向かって延びており、第３１側壁開口Ｏｓ３１から流出する排気の排出経路と、第３２側壁開口Ｏｓ３２から流出する排気の排出経路とを部分的に分離している。回路保護装置保持部１１３Ｇは、回路保護装置１２１を保持する部位であって、第３１側壁開口Ｏｓ３１の一部を覆うように配設されている。
【００３１】
（１−４）第１環状シール部材
第１環状シール部材１１４は、ゴムやエラストマーからなる略円環状の弾性部材である。そして、この第１環状シール部材１１４の外周部位には等間隔に切り欠き（図示せず）が形成されている。そして、この第１環状シール部材１１４は、図３および図４に示されるように電動機カバー１１２のシール部材保持部１１２Ｄの円環溝に嵌め込まれると共に、内ケース１１３の上側部分の内周面に部分的に当接している。すなわち、電動機カバー１１２の外周面と内ケース１１３の内周面との間に形成される空間は、第１環状シール部材１１４によって上下に分けられることになるが、上側の空間と下側の空間は第１環状シール部材１１４の切り欠きを介して連通することになる。
【００３２】
（１−５）電動機
電動機１１５は、図３および図４に示されるように、インナーロータ型の両軸電動機であって、上述の通り、電動機カバー１１２に収容されており、本体１１０の筐体１１１の中央付近に配設されている。そして、この電動機１１５は、図４に示されるように可変抵抗器ＶＲに接続されており、その可変抵抗器ＶＲのツマミが回転操作されることによってその回転速度が制御される。なお、図４に示されるように、可変抵抗器ＶＲのツマミに操作ノブ１２が取り付けられている。
【００３３】
（１−６）上側駆動シャフト
【００３４】
上側駆動シャフト１１６Ａは、図３および図４に示されるように、電動機１１５の回転子の上端から上方に向かって延びている。そして、この上側駆動シャフト１１６Ａの上端部は、駆動側カップリング１１７の軸受け部１１７Ａの内側に挿通されて締結されている。
【００３５】
（１−７）下側駆動シャフト
下側駆動シャフト１１６Ｂは、図３および図４に示されるように、電動機１１５の回転子の下端から下方に向かって延びている。そして、図８および図９に示されるように、この下側駆動シャフト１１６Ｂの下端部は、冷却ファン１１８のファン１１８Ａの回転中心に接合されている。
【００３６】
（１−８）駆動側カップリング
上述の通り、駆動側カップリング１１７には軸受け部１１７Ａが設けられており、この軸受け部１１７Ａに上側駆動シャフト１１６Ａの上端部が挿入されて締結されている。そして、この駆動側カップリング１１７は、ミキサー１００が組み立てられた状態において本体側の上側駆動シャフト１１６とカップ側の従動シャフト１５１ｅとを連結する役割を担う（図３および図４参照）。
【００３７】
（１−９）冷却ファン
冷却ファン１１８は、軸流ファンであって、図８および図９に示されるように、主に、ファン１１８Ａ、ファン筐体１１８Ｂおよび取付翼部１１８Ｃから構成されている。ファン１１８Ａは、回転可能なようにファン筐体１１８Ｂに組み込まれている。そして、このファン１１８Ａの回転中心には、上述の下側駆動シャフト１１６Ｂが接合されている。すなわち、電動機１１５が駆動されると、下側駆動シャフト１１６Ｂを介してその回転動力がファン１１８Ａに伝達され、その結果、ファン１１８Ａが回転される。ファン筐体１１８Ｂは、上述の通り、ファン１１８Ａを回転可能に軸支している。取付翼部１１８Ｃは、冷却ファン１１８を電動機カバー１１２のフランジ部１１２Ｅに取り付けるための部位であって、図８および図９に示されるようにファン筐体１１８Ｂから外側に向かって延びている。そして、上述の通り、この冷却ファン１１８は、取付翼部１１８Ｃを介して電動機カバー１１２のフランジ部１１２Ｅの下側に取り付けられている。また、図８および図９に示されるように、ファン筐体１１８Ｂの下面には、第２環状シール部材ＳＬ２を介して底壁部材１１１Ｂの円筒壁部１１１ｇが密接している。なお、ここで、第２環状シール部材ＳＬ２は、ゴムやエラストマーからなる略円環状の弾性部材である。すなわち、ファン１１８Ａが回転すると、外部の空気が給気通路Ｐｓ、給気口Ｍｓおよび円筒壁部１１１ｇの内部を通ってファン１１８Ａに吸い込まれ、電動機１１５に供給されることになる。そして、電動機１１５に供給された空気は、電動機１１５から発せられる熱を奪って電動機１１５を冷却すると共に、加熱されることになる。
【００３８】
（１−１０）調芯プランジャー
調芯プランジャー１１９は６つ存在しており、各調芯プランジャー１１９は、図５および図１３に示されるように円筒壁部Ｗｃの調芯プランジャー収容部Ｒｐに配設されている。なお、この調芯プランジャー１１９は、上述した通り、円筒壁部Ｗｃの半径方向に沿って延びるレール部ＲＬ（図１３参照）に沿って出没可能なように収容されている。調芯プランジャー１１９は、図１４に示されるように、主に、プランジャー本体１１９Ａおよびコイルバネ１１９Ｂから構成されている。プランジャー本体１１９Ａは、図１４に示されるように、角板部１１９ａ、部分球状突起部１１９ｂおよびコイルバネ取付突起部１１９ｃから形成されている。部分球状突起部１１９ｂは、図１４に示されるように角板部１１９ａの表側に形成されている。なお、この部分球状突起部１１９ｂは、後述するカップ１５０の下側円筒壁部（後述）１５１ｃに形成される角溝（後述）Ｇｒの溝幅よりもわずかに大きく形成されている。すなわち、カップ１５０が本体１１０に装着された状態では、部分球状突起部１１９ｂは角溝Ｇｒに完全に嵌まり込むことなく、その一部だけが角溝Ｇｒの角部に当接することになる。コイルバネ取付突起部１１９ｃは、図１４に示されるように角板部１１９ａの裏側から後方に向かって延びている。コイルバネ１１９Ｂは、プランジャー本体１１９Ａのコイルバネ取付突起部１１９ｃの外側に嵌め込まれており、プランジャー本体１１９Ａを円筒壁部Ｗｃの筒軸に向かって付勢している。
【００３９】
（１−１１）操作ノブ
【００４０】
操作ノブ１２０は、図１および図２に示されるように、本体１１０の筐体１１１の正面側の第１側壁部１１１ａ上に１つ設けられている。上述の通り、この操作ノブ１２０には、可変抵抗器ＶＲのツマミが取り付けられている。すなわち、使用者がこの操作ノブ１２０を回転させると可変抵抗器ＶＲの抵抗値が変化し、その結果、電動機１１５の回転速度が変化させられる。
【００４１】
（１−１２）回路基板
回路基板は、筐体１１１の内部に収容されており、制御線等を介して電動機１１５、可変抵抗器ＶＲ、回路保護装置１２１および本体側安全機構１２２等に接続されると共に、電気プラグコード１２３にも接続されている。
【００４２】
（１−１３）回路保護装置
回路保護装置１２１は、いわゆるサーキットプロテクターであって電動機１１５に接続される電気配線に過電流が生じたり、電気配線の短絡によって過負荷が生じたりしたときに自動で過電流を遮断する装置であって、内ケース１１３の回路保護装置保持部１１３Ｇに保持されている。
【００４３】
（１−１４）本体側安全機構
本体側安全機構１２２は、図３に示されるように、主に、本体側上下移動バー１２２Ａ、コイルバネ（図示せず）、マイクロスイッチ１２２Ｂから構成されている。本体側上下移動バー１２２Ａは、筐体１１１の本体側安全機構収容部１１１ｌの内部に上下移動自在に収容されている。また、この本体側上下移動バー１２２Ａは、コイルバネによって上方に向かって付勢されている。マイクロスイッチ１２２Ｂは、本体側上下移動バー１２２Ａの下方に配置されている。そして、本体側上下移動バー１２２Ａがコイルバネの付勢力によって上方に押し上げられている状態では、マイクロスイッチ１２２Ｂがオフ状態となっている。このため、この状態では、操作ノブ１２０が操作されても、ミキサー１００は全く動作しない。その一方、本体側上下移動バー１２２Ａがコイルバネの付勢力に逆らって下方に押し下げられると、マイクロスイッチ１２２Ｂがオン状態となる。そして、マイクロスイッチ１２２Ｂがオン状態となると、操作ノブ１２０の回転操作によりミキサー１００が動作可能な状態となる。
【００４４】
（１−１５）電気プラグコード
電気プラグコード１２３は、図１０に示されるように、主に、電気コード１２３Ａおよびプラグ１２３Ｂから構成されている。電気コード１２３Ａは、一端が回路基板に接続されており、もう一端がプラグ１２３Ｂに接続されている。プラグ１２３Ｂは、外部電源のソケットに対して抜き差し可能となっている。
【００４５】
（２）カップ
カップ１５０は、図１〜図４および図１５に示されるように、主に、カップ本体１５１、取っ手１５２およびカップ側安全機構１５３から構成される。以下、これらの構成要素について詳述する。
【００４６】
（２−１）カップ本体
カップ本体１５１は、図３および図４に示されるように、主に、側壁部材１５１Ａ、カッター付き底壁部材１５１Ｂ、第３環状シール部材ＳＬ３およびカップ側安全機構収容部１５１Ｃから構成されている。以下、これらの構成要素について詳述する。
【００４７】
（２−１−１）側壁部材
側壁部材１５１Ａは、ガラス製または樹脂製の筒状成形体であって、主に、本体部１５１ａ、底隅部１５１ｂおよび下側円筒壁部１５１ｃから形成されている。なお、図３に示される通り、この側壁部材１５１Ａには、底壁が存在しない。この側壁部材１５１Ａは、下側円筒壁部１５１ｃにカッター付き底壁部材１５１Ｂが装着されることによって初めて容器として機能する。
【００４８】
ところで、本体部１５１ａは、図１、図３および図１５に示されるように、略逆切頭円錐筒形状を呈している。なお、この本体部１５１ａの下端面は平坦な円環状面となっている。そして、この本体部１５１ａには、図１、図３および図１５に示されるように、注ぎ口Ｍｐが形成されており、その注ぎ口Ｍｐの逆側にカップ側安全機構収容部１５１Ｃが一体的に取り付けられている。本体部１５１ａおよび底隅部１５１ｂには、攪拌リブおよび排気通路として機能する凹部ＲＥが形成されている（図１、図３および図１５参照）。ところで、この凹部ＲＥは、図１、図３および図１５に示されるように斜め上方に向かって延びるように形成されている。そして、この凹部ＲＥは、カップ１５０が本体１１０に装着された状態において筐体１１１の円筒台座部１１１ｃ内の円筒形内部空間Ｓｃと連通するようにその奥行が設計されている。底隅部１５１ｂは、略円環状を呈する部位であって、図３に示されるように本体部１５１ａの下端付近から内側に向かうに従って下方に延びている。下側円筒壁部１５１ｃは、底隅部１５１ｂの内端付近から下方に向かって延びる略円筒形状の壁部位であって、その内側に雌ネジが形成されている。また、図１５に示されるように、この下側円筒壁部１５１ｃの外周には嵌込リブＲｙが配設されており、下側円筒壁部１５１ｃの外周面には角溝Ｇｒが形成されている。嵌込リブＲｙは、図１５に示されるように下側円筒壁部１５１ｃの外周面に等間隔に３つ形成されており、カップ１５０が本体１１０に装着される際、筐体１１１の本体部材１１１Ａの３つの角柱凹部Ｒｒに嵌まり込む。角溝Ｇｒは、図１５に示されるように下側円筒壁部１５１ｃの嵌込リブＲｙの間の下部において周方向に沿って形成されている。
【００４９】
（２−１−２）カッター付き底壁部材
カッター付き底壁部材１５１Ｂは、図１５および図１６に示されるように、主に、回転刃１５１ｄ、従動シャフト１５１ｅ、従動側カップリング１５１ｆ、軸受１５１ｇ、軸受け収容壁１５１ｈ、翼部１５１ｉ、円筒部１５１ｊ、円環部１５１ｋ、雄ネジ部１５１ｌおよび下端部１５１ｍから構成されている。
【００５０】
回転刃１５１ｄは、金属製の刃物であって、調理対象物を破砕しながら混合する役目を担っている。そして、図１６に示されるように、この回転刃１５１ｄの回転中心には従動シャフト１５１ｅが締結されている。従動シャフト１５１ｅは、先の説明の通り、回転刃１５１ｄの回転中心に締結されており、図１６に示されるように軸受１５１ｇによって軸が上下方向に沿うように支持されている。従動側カップリング１５１ｆは、図１６に示されるように従動シャフト１５１ｅの下端部に取り付けられており、カップ１５０が本体１１０に装着された状態において、駆動側カップリング１１７と噛み合って連結される（図３および図１６等参照。）。したがって、カップ１５０が本体１１０に装着された状態において、電動機１１５が駆動されると、その回転動力が上側駆動シャフト１１６Ａ、駆動側カップリング１１７および従動側カップリング１５１ｆを介して従動シャフト１５１ｅに伝達される。そして、その結果、回転刃１５１ｄが回転される。軸受１５１ｇは、特に限定されないが、例えば、滑り軸受や転がり軸受等であって、図１６に示されるように軸受け収容壁内に上下に一つずつ配設されている。そして、この軸受１５１ｇには、従動シャフト１５１ｅが回転自在に保持されている。軸受け収容壁１５１ｈは、図１６に示されるように上下２つの軸受１５１ｇを収容している。翼部１５１ｉは、図１６に示されるように、軸受け収容壁１５１ｈの高さ方向中央部から外周側に向かって広がっている。なお、この翼部１５１ｉは、切頭円錐筒形状を呈している。すなわち、断面視において、この翼部１５１ｉは、軸受け収容壁１５１ｈから外周側へ向かうに従って下方に傾斜している（図１６参照）。円筒部１５１ｊは、円筒形状を呈する部位であって、図１６に示されるように翼部１５１ｉの外周端部から下方に向かって延びている。円環部１５１ｋは、円環形状を呈する部位であって、図１６に示されるように円筒部１５１ｊの下端から外周側に向かって略水平方向に広がっている。雄ネジ部１５１ｌは、図１６に示されるように円環部１５１ｋの外周端部から下方に向かって延びている。そして、この雄ネジ部１５１ｌには外側に雄ネジが形成されている。下端部１５１ｍは、円筒形状を有する部材であって、雄ネジ部１５１ｌの下端から外周側に向かって僅かに延びた後に下方に向かって延びている。
【００５１】
（２−１−３）第３環状シール部材
第３環状シール部材ＳＬ３は、ゴムやエラストマーからなる略円環状の弾性部材であって、図６に示されるように側壁部材１５１Ａの底隅部１５１ｂの内側端部と、カッター付き底壁部材１５１Ｂの円環部１５１ｋとに密着している。
【００５２】
（２−１−４）カップ側安全機構収容部
カップ側安全機構収容部１５１Ｃは、図１および図３に示されるように側壁部材１５１Ａの本体部１５１ａの注ぎ口Ｍｐの逆側に形成されており、側壁部材１５１Ａの本体部１５１ａと一体とされている。そして、このカップ側安全機構収容部１５１Ｃには、図３に示されるようにカップ側安全機構１５３が収容されている。また、図１および図３に示されるように、このカップ側安全機構収容部１５１Ｃの上端部に取っ手１５２が一体的に取り付けられている。
【００５３】
（２−２）取っ手
取っ手１５２は、上述の通り、カップ側安全機構収容部１５１Ｃの上端部に取り付けられている（図１〜図３参照）。
【００５４】
（２−３）カップ側安全機構
カップ側安全機構１５３は、上述の通り、カップ側安全機構収容部１５１Ｃに収容されている（例えば、図３参照。）。このカップ側安全機構１５３は、図３に示されるように、主に、カップ側上下移動バー１５３Ａ、コイルバネ１５３Ｂおよび押し具１５３Ｃから構成されている。カップ側上下移動バー１５３Ａは、カップ側安全機構収容部１５１Ｃの内部に上下移動自在に収容されている。また、このカップ側上下移動バー１５３Ａの上端部には押し具１５３Ｃが取り付けられている。コイルバネ１５３Ｂは、押し具１５３Ｃを上方に向かって付勢している。すなわち、カップ側上下移動バー１５３Ａも押し具１５３Ｃと同様にコイルバネ１５３Ｂによって上方に向かって付勢されていることになる。押し具１５３Ｃは、先の説明の通り、カップ側上下移動バー１５３Ａの上端部に取り付けられている。そして、この押し具１５３Ｃは、蓋体１６０がカップ１５０に装着された際、蓋体１６０の突起部１６４によって押し下げられる。そして、蓋体１６０がカップ１５０に装着されていない状態では、カップ側上下移動バー１５３Ａがコイルバネ１５３Ｂの付勢力によって上方に押し上げられており、本体側上下移動バー１２２Ａを下方に押し下げることがない。このため、この状態では、本体側安全機構１２２のマイクロスイッチ１２２Ｂがオフ状態となっている。このため、この状態では、操作ノブ１２０が操作されても、ミキサー１００は全く作動しない。その一方、蓋体１６０がカップ１５０に装着された状態では、カップ側安全機構１５３の押し具１５３Ｃが蓋体１６０の突起部１６４によって押し下げられ、その結果、カップ側上下移動バー１５３Ａがコイルバネ１５３Ｂの付勢力によって下方に押し上げられる。そして、カップ側上下移動バー１５３Ａがコイルバネ１５３Ｂの付勢力に逆らって下方に押し下げられると、カップ側上下移動バー１５３Ａが本体側上下移動バー１２２Ａに当接して本体側上下移動バー１２２Ａをコイルバネの付勢力に逆らって下方に押し下げる。その結果、マイクロスイッチがオン状態となる。そして、マイクロスイッチがオン状態となると、操作ノブ１２０の回転操作によりミキサー１００が作動可能な状態となる。
【００５５】
（３）蓋体
蓋体１６０は、図３に示されるように、主に、蓋本体部１６１、円筒壁部１６２、給排気口部１６３および突起部１６４から構成される。蓋本体部１６１は、図１〜図４および図１５に示されるように円盤部位１６１Ａ、注ぎ口閉塞部位１６１Ｂおよび延設部位１６１Ｃから形成されている。円盤部位１６１Ａは、略円盤形状を有する板状部位である。注ぎ口閉塞部位１６１Ｂは、図２に示されるように平面視において円盤部位１６１Ａから僅かに突出する部位であって、蓋体１６０がカップ１５０に装着された状態において側壁部材１５１Ａの本体部１５１ａの注ぎ口Ｍｐを覆う。延設部位１６１Ｃは、注ぎ口閉塞部位１６１Ｂの反対側において円盤部位１６１Ａから注ぎ口閉塞部位１６１Ｂの延設方向と逆方向に向かって延びている。円筒壁部１６２は、図３に示されるように蓋本体部１６１の円盤部位１６１Ａの外周近傍の下面から下方に向かって延びている。そして、この円筒壁部１６２の外周には、図３および図４に示されるように第４環状シール部材ＳＬ４が配設されている。給排気口部１６３は、図３および図４に示されるように蓋本体部１６１の中央部分に形成されており、略円筒形状を呈している。そして、図３および図４に示されるように、この給排気口部１６３には貫通孔Ｂｏが形成されている。この貫通孔Ｂｏが、蓋体１６０の開け閉め時の空気の給気口または排気口として機能する。突起部１６４は、図３に示されるように延設部位１６１Ｃの下面から下方に向かって延びている。そして、蓋体１６０がカップ１５０に装着されると、突起部１６４は、カップ側安全機構１５３のカップ側上下移動バー１５３Ａに当接してカップ側上下移動バー１５３Ａを押し下げる。
【００５６】
＜ミキサーの組立の例＞
先ず、カッター付き底壁部材１５１Ｂの円環部１５１ｋの上に第３環状シール部材ＳＬ３を配設した後に、側壁部材１５１Ａにカッター付き底壁部材１５１Ｂを螺合してカップ１５０をつくる。
【００５７】
次に、上述の通りにして組み立てられたカップ１５０の下側円筒壁部１５１ｃおよび下端部１５１ｍを円筒台座部１１１ｃの内側に挿入して、カップ１５０を本体１１０に載置する。そして、このとき、嵌込リブＲｙが筐体１１１の本体部材１１１Ａの３つの角柱凹部Ｒｒに嵌まり込むと共に、調芯プランジャー１１９の部分球状突起部１１９ｂがカップ１５０の下側円筒壁部１５１ｃの角溝Ｇｒに嵌まり込む。また、調芯プランジャー１１９の部分球状突起部１１９ｂがカップ１５０の下側円筒壁部１５１ｃの角溝Ｇｒに嵌まり込む際、「カチッ」というクリック音が鳴る。
【００５８】
＜ミキサーの動作＞
先ず、上述のようにして組み立てられた蓋なし状態のミキサー１００のカップ１５０内に飲食材料を投入した後、カップ１５０に蓋体１６０を装着する。すると、蓋体１６０の突起部１６４によりカップ側安全機構１５３のカップ側上下移動バー１５３Ａがコイルバネ１５３Ｂの付勢力に逆らって押し下げられる。その結果、本体１１０の本体側安全機構１２２のカップ側上下移動バー１５３Ａがコイルバネの付勢力に逆らって押し下げられ、マイクロスイッチがオン状態となる。この状態で操作ノブ１２０が回転操作されると、電動機１１５により回転刃１５１ｄが、操作ノブ１２０の回転角度に応じた速度で回転して、カップ１５０内の飲食材料を切断・せん断すると共に混合する。なお、このとき、調芯プランジャー１１９によって駆動側カップリング１１７の軸芯と従動側カップリング１５１ｆの軸芯との調芯が行われる。
【００５９】
＜電動機の排熱処理＞
上述の通り、使用者による操作ノブの回転操作により電動機１１５が動作し出すと、回転刃１５１ｄが回転し出すと共に、ファン１１８Ａが回転し出す。そして、ファン１１８Ａが回転すると、外部の空気が給気通路Ｐｓ、給気口Ｍｓおよび円筒壁部１１１ｇの内部を通ってファン１１８Ａに吸い込まれ、電動機１１５に供給される。電動機１１５に供給された空気は、電動機１１５から発せられる熱を奪って電動機１１５を冷却すると共に、自身が加熱される。そして、その加熱された空気（以下「加熱空気」という。）の一部は、ａ１）電動機カバー１１２の第２天壁開口Ｏｕ２と上側駆動シャフト１１６Ａとの隙間、ａ２）電動機カバー１１２の第２口部１１２Ｂと上側駆動シャフト１１６Ａとの隙間、ａ３）内ケース１１３の第３天壁開口Ｏｕ３と上側駆動シャフト１１６Ａとの隙間、ａ４）内ケース１１３の第３口部１１３Ｂと駆動側カップリング１１７との隙間、ａ５）筐体１１１の円筒台座部１１１ｃ内の円筒形内部空間Ｓｃを通って、ａ６）透明カバー１１１Ｅの突起部Ｐｒによって形成される透明カバー１１１Ｅと、カップ１５０の側壁部材１５１Ａの本体部１５１ａの下端面との隙間、および、ａ７）側壁部材１５１Ａの凹部ＲＥから外部へ排出される。
【００６０】
また、加熱空気の他の一部は、ｂ１）電動機カバー１１２の第２側壁開口Ｏｓ２、ｂ２）第１環状シール部材１１４の切り欠き、ｂ３）第１環状シール部材１１４よりも上側の電動機カバー１１２の部位と、第１環状シール部材１１４よりも上側の内ケース１１３の部位との隙間を通って、ａ２）電動機カバー１１２の第２口部１１２Ｂと上側駆動シャフト１１６Ａとの隙間に流れる加熱空気と合流した後、上述のａ３）〜ａ５）の経路を通ってａ６）透明カバー１１１Ｅの突起部Ｐｒによって形成される透明カバー１１１Ｅと、カップ１５０の側壁部材１５１Ａの本体部１５１ａの下端面との隙間、および、ａ７）側壁部材１５１Ａの凹部ＲＥから外部へ排出される。
【００６１】
さらに、加熱空気の他の一部は、ｂ１）電動機カバー１１２の第２側壁開口Ｏｓ２、ｃ１）第１環状シール部材１１４よりも下側の電動機カバー１１２の部位と、第１環状シール部材１１４よりも下側の内ケース１１３の部位との隙間、ｃ２）内ケース１１３の第３側壁部１１３Ｄの第３１側壁開口Ｏｓ３１および第３２側壁開口Ｏｓ３２を通って底壁部材１１１Ｂの排気口Ｍｅから外部へ排出される。
【００６２】
＜本体に液状物が浸入した場合の液状物の流れ＞
例えば、水洗時の水や、カップ１５０中の液状調理物が漏れ出た際の漏出物が、筐体１１１の円筒台座部１１１ｃ内の円筒形内部空間Ｓｃに浸入してきた場合、その水や漏出物（以下「液状物」とまとめる。）は、駆動側カップリング１１７に落ちた後に駆動側カップリング１１７を伝って、または、第１天壁部１１１ｂに落ちて直接に、第１天壁開口Ｏｕ１に浸入する。第１天壁開口Ｏｕ１に浸入した液状物は、その後、内ケース１１３の部分囲い壁部１１３Ｃと第３口部１１３ｂとの間の空間に落下した後、溝形成壁部１１３Ｅの溝を通って下方へと流れて、筐体１１１の底壁部材１１１Ｂの第１排水部１１１ｊおよび第２排水部１１１ｋから排出される。
【００６３】
また、第１天壁開口Ｏｕ１に浸入した液状物が、駆動側カップリング１１７の軸受け部１１７Ａを伝って、第３天壁開口Ｏｕ３と上側駆動シャフト１１６Ａとの隙間に浸入することがあり得るが、かかる場合、その液状物は、電動機カバー１１２の第２天壁部１１２Ａのうち第２天壁開口Ｏｕ２よりも外側部分に落下した後（これは、駆動側カップリング１１７の軸受け部１１７Ａの径が、第２天壁部１１２Ａの第２天壁開口Ｏｕ２の径よりも大きいため。）、ｂ３）第１環状シール部材１１４よりも上側の電動機カバー１１２の部位と、第１環状シール部材１１４よりも上側の内ケース１１３の部位との隙間、ｂ２）第１環状シール部材１１４の切り欠き、ｃ１）第１環状シール部材１１４よりも下側の電動機カバー１１２の部位と、第１環状シール部材１１４よりも下側の内ケース１１３の部位との隙間を流れて、筐体１１１の底壁部材１１１Ｂの第１排水部１１１ｊおよび第２排水部１１１ｋから排出される。
【００６４】
＜本発明の実施の形態に係るミキサーの特徴＞
（１）
本発明の実施の形態に係るミキサー１００では、電動機１１５の周辺空間が第１天壁開口Ｏｕ１を介して、「本体１１０の透明カバー１１１Ｅの突起部Ｐｒ」と「カップ１５０の側壁部材１５１Ａの本体部１５１ａの下端面」との間に形成される隙間に連通している。また、このミキサー１００では、電動機１１５の周辺空間が第１天壁開口Ｏｕ１を介して、カップ１５０の側壁部材１５１Ａに形成される凹部ＲＥにも連通しており、その凹部ＲＥが斜め上方に向かって延びるように形成されている。このため、このミキサー１００では、電動機１１５から生じた熱で温められた空気が移動しやすい上方からその空気を排出することができる。したがって、このミキサー１００では、費用や、電動機周りの設計に制限がある場合であっても、比較的容易に電動機１１５から生じる熱の排出効率を向上させることができる。
【００６５】
（２）
本発明の実施の形態に係るミキサー１００では、カップ１５０の側壁部材１５１Ａに形成される凹部ＲＥが、カップ１５０の側壁部材１５１Ａの内側に向かう凸部となり、調理対象物の攪拌を補助するリブとして機能する。このため、このミキサー１００では、調理対象物の撹拌効率を向上させることができる。
【００６６】
（３）
本発明の実施の形態に係るミキサー１００では、加熱空気の一部は、ｂ１）電動機カバー１１２の第２側壁開口Ｏｓ２、ｂ２）第１環状シール部材１１４の切り欠き、ｂ３）第１環状シール部材１１４よりも上側の電動機カバー１１２の部位と、第１環状シール部材１１４よりも上側の内ケース１１３の部位との隙間を通って、ａ２）電動機カバー１１２の第２口部１１２Ｂと上側駆動シャフト１１６Ａとの隙間に流れる加熱空気と合流した後、上述のａ３）〜ａ５）の経路を通ってａ６）透明カバー１１１Ｅの突起部Ｐｒによって形成される透明カバー１１１Ｅと、カップ１５０の側壁部材１５１Ａの本体部１５１ａの下端面との隙間、および、ａ７）側壁部材１５１Ａの凹部ＲＥから外部へ排出される。このため、このミキサー１００では、電動機１１５から生じる熱で温められた空気が、電動機カバー１１２と内ケース１１３との隙間に移動した場合であっても、その空気は、第１環状シール部材１１４の切り欠きを通って、「本体１１０の透明カバー１１１Ｅの突起部Ｐｒ」と「カップ１５０の側壁部材１５１Ａの本体部１５１ａの下端面」との間に形成される隙間から排出される。このため、筐体１１１の内部に電動機カバー１１２および内ケース１１３を配設した場合であっても電動機１１５から生じる熱を効率よく外部へ排出することができる。
【００６７】
（４）
本発明の実施の形態に係るミキサー１００では、円筒壁部１１１ｇが給気口形成部１１１ｆの外周縁部から冷却ファン１１８の下面近傍まで延びており、冷却ファン１１８と円筒壁部１１１ｇとに第２環状シール部材ＳＬ２が密着している。また、このミキサー１００では、底面視において給気経路形成壁部１１１ｅの外側に排気口Ｍｅが形成されている。このため、このミキサー１００では、筐体１１１の内部において電動機１１５への給気が排気と混ざることを防ぐことができる。したがって、このミキサー１００では、効率よく電動機１１５を冷却することができる。
【００６８】
＜変形例＞
先の実施の形態に係るミキサー１００では、本体１１０の透明カバー１１１Ｅの上端壁部１１１ｍの上端面に突起部Ｐｒを形成することによって、「本体１１０の透明カバー１１１Ｅ」と「カップ１５０の側壁部材１５１Ａの本体部１５１ａ」との間に隙間を形成したが、カップ１５０の側壁部材１５１Ａの本体部１５１ａの下端面に突起部を形成することによって同隙間を形成するようにしてもよいし、「本体１１０の透明カバー１１１Ｅの上端壁部１１１ｍの上端面」および「カップ１５０の側壁部材１５１Ａの本体部１５１ａの下端面」の両方に突起部を形成して同隙間を形成するようにしてもよい。
【符号の説明】
【００６９】
１００    ：ミキサー（回転式破砕混合調理器）
１１０    ：本体
１１１    ：筐体
１１１ｂ  ：天壁部
１１１ｄ  ：底壁本体部
１１１ｆ  ：給気口形成部（給排気分離構造）
１１１ｇ  ：円筒壁部（給排気分離構造）
１１１ｍ  ：上端壁部（載置部位）
１１２    ：電動機カバー（第１電動機収容体）
１１２Ｃ  ：第２側壁部（側壁部）
１１３    ：内ケース（第２電動機収容体）
１１３Ｄ  ：第３側壁部（側壁部）
１１４    ：第１環状シール部材（密着部材）
１１５    ：電動機
１１６Ａ  ：上側駆動シャフト（回転軸）
１５０    ：カップ（容器）
１５１ａ  ：本体部（被載置部位）
１５１ｂ  ：底隅部（底壁部）
１５１ｄ  ：回転刃
１５１ｅ  ：従動シャフト（回転軸）
１５１ｉ  ：翼部（底壁部）
Ｍｅ      ：排気口
Ｍｓ      ：給気口
Ｏｕ１    ：第１天壁開口（開口）
Ｐｒ      ：突起部（隙間形成部位）
ＲＥ      ：凹部
【図１】
2020116047.tif 000003
【図２】
2020116047.tif 000004
【図３】
2020116047.tif 000005
【図４】
2020116047.tif 000006
【図５】
2020116047.tif 000007
【図６】
2020116047.tif 000008
【図７】
2020116047.tif 000009
【図８】
2020116047.tif 000010
【図９】
2020116047.tif 000011
【図１０】
2020116047.tif 000012
【図１１】
2020116047.tif 000013
【図１２】
2020116047.tif 000014
【図１３】
2020116047.tif 000015
【図１４】
2020116047.tif 000016
【図１５】
2020116047.tif 000017
【図１６】
2020116047.tif 000018